(57)【要約】【課題】  磁石と磁石での吸引力、反発力を連続的に行うか、吸引力から反発力への転換、または反発力から吸引力への転換である。【解決の手段】    外周の複数の固定磁石に対向する磁石を回転により吸着力からの離脱、反発力からの離脱、外周の磁石と回転する磁石に回転軸を設け回転させるのが  一番抵抗が少ないので、また磁石を回転時に磁石が丸いので固定磁石と回転磁石の吸引と反発のつりあう所がある、回転子は一揆に反発に転じる、吸引力からの離脱を補助的に助けるために回転子内に磁界を通す貫通孔を設け且つ回転磁石の回転を一律にするため、回転調整版を装着した【選択図】図１
2010088282.tif 000002
【特許請求の範囲】
【請求項１】
回転軸を備えた円柱型の非磁石材のカプセル内に同径で磁極が径方向の、円柱型の磁石をカプセル内で強固にカプセルと固定ないし密閉した、且つ回転軸に非磁石材の歯車又はベルトプーリ等を装着できることを特徴とする、回転する磁石体。
【請求項２】
回転子内の回転する磁石体と、もう一方の回転する磁石体の、径を結ぶ線上内に、吸引力、反発力の磁界の流れを通す貫通孔又は貫通穴を、非磁石材の回転子に設ける、磁界流を通す貫通孔、貫通穴を備えた事を特徴とする回転子。
【請求項３】
非磁石材の軸受けを備えた歯車を非磁石材の板に固定し外周部にウォームギヤーの受け溝を設ける、駆動軸を備えた回転子の駆動軸に通し非磁石材ウォームギヤーの回転で回転調整板を左右に動かし、駆動軸を備えた回転子の回転方向と回転トルクの調整を行うことを特徴とした、回転調整板。
【請求項４】
回転子内で回転する磁石体の各回転軸にベルトプーリを装着し各プーリにベルトで連結する、複数の磁石体の回転を一律、同じ回転にすることを特徴とした回転子
【請求項５】
円柱形のドラム内に円柱径と平行した複数の磁石体の磁極が円柱の中心方向に対し同極となるように装着された磁石体を持つ回転装置のドラム。
【請求項６】
磁界流を通す貫通孔、貫通穴を設けた非磁石材の回転子に回転軸を備えた回転する磁石体を駆動軸水平方向に回転子内に複数設け、且つ回転する磁石体の回転軸を非磁石材の軸受け板で回転子に固定し、回転する磁石体の回転軸に非磁石材の歯車を装着する非磁石材の回転調整板を駆動軸に通し回転する磁石体の歯車と回転調整板の歯車かみ合わせ連結する、回転調整板に設けてあるウォームギヤーの受け溝に非磁石材のウォームギヤーの回転で回転子の回転を調整する。且つ磁石体を装着した回転子と間隔を開け外周部の複数の磁石は回転子に対向するように設ける、且つ対向する外周部にある磁石体の磁極が回転子に対し同極である方向性の磁石としドラムの内側に固定し設けてある事を特徴する  特許項１、２、３、５記載の磁石と磁石で回る連続回転装置
【請求項７】
磁石と磁石で回る連続回転装置の複数の回転する磁石を備えた中央部のシャフトを固定し対向する外周部を駆動部とした回転装置、特許項６記載の磁石と磁石で回る連続回転装置
【請求項８】
磁石と磁石で回る連続回転装置の機関部に円滑油を挿入されていることを特徴とする、磁石と磁石で回る連続回転装置
【発明の詳細な説明】
【技術分野】
【０００１】  本発明は、磁石と磁石の吸引力、反発力を利用しうる回転装置に関する。
【背景技術】
【０００２】  従来、あらゆる所で電気磁気又は磁石を利用している、医療機器、風力発電の発電機、模型の駆動部、情報機器、音響機器、多種多様である、半永久的な磁石は、Ｎ極、Ｓ極に関係なく鉄材等への吸着力が備わっている、又磁石と磁石の間では吸引力と反発力の力作用が備わる、言ってみれば当たり前である、吸引力、反発力を利用し磁石と磁石で連続回転運動をする装置はなかった。
【発明開示】
【発明が解決しようとする課題】
【０００３】磁石と磁石での吸引力、反発力を連続的に吸引力から反発力への転換、又は反発力から吸引力への転換である。
【課題を解決するための手段】
【０００４】    固定された外周の磁石に対し吸引力から反発運動への転換を容易するために、磁石体に回転軸を備えた。且つ磁石体に回転運動の回転軸もたらせるためには磁石の特殊な加工ではなく磁石の破損ないし磁場低下時の再利用を考慮しカプセル内に納め、駆動軸を備えている。
【０００５】  駆動軸を備えている回転子に内の回転する磁石体と固定された磁石の吸引力から、への離脱を助け補助するため、回転する磁石体と、回転子の回転方向先にある回転する磁石体の径と径に結ばれる線上内に磁界流の通る貫通孔、貫通穴を複数、駆動軸を備えている回転子の中に設ける、固定された磁石との吸引からの離脱をよぎなくされている磁石体は、固定磁石の反発力も同時に受けている、且つ固定磁石から反発力、吸引力を受け安定し回転しうる回転する磁石体と離脱をよぎなくされている回転する磁石体の回転を補助するための磁界を通す貫通孔、貫通穴である。磁界の交流をはかり離脱への吸引力の磁力をかりる。固定された磁石体の数と回転子に備える回転する磁石体の和は偶数対奇数とが望ましいが、固定された磁石数と回転子に装着する磁石数の個数は特定するものではない。
【０００６】  固定された外周の複数の磁石体と駆動軸を備えている回転子内の複数の回転する磁石体の吸引力、反発力の駆動力をせしめ、うるために回転子内の回転する磁石体の回転軸に軸受けを備えている回転子の固定版で回転する磁石対を駆動軸備えた回転子に固定し回転する磁石対の回転軸に歯車を設け、且つ半固定の軸受けを備えた回転調整板を回転子の駆動軸に通し回転調整板の歯車と回転子内の回転する磁石体の歯車を噛み合せ連結させる、且つ回転子内に複数備えられている回転する磁石体の歯車は回転調整板の歯車の外周を回転しながら進む、回転する磁石体は固定された磁石の中心角の中点から回転子の回転方向にある次の固定された磁石の中心角の中点の間で、一回転の回転になるように調整板の歯車と回転する磁石対の歯車の和を求め装着する、回転子に備えられた回転する磁石体は回転調整板の回転制御受け一回転の間に吸引からの離脱、反発、吸引、と回転子に駆動力を与え、駆動軸へと伝達される。
【０００７】  前記半固定の回転調整板の外周部にウォームギアーの受け溝を備える、且つウォム、ギアに、ギアモータ等で左右の回転を与える、半固定の回転調整板は駆動軸を中心に左右に動く、回転調整板の歯車と回転子内の歯車は噛み合い連結されているので回転子に回転方向ないし、回転トルク変換を容易に行うことができる。
【０００８】  固定された磁石の中心角の中点から回転子の回転方向にある次の固定された磁石の中心角の中点の間で回転子に備えられた磁石体は、吸引からの離脱、反発、吸引、と一回転するので回転する磁石体は回転する前のＮ極とＳ極の境界線は回転後も同じ位置にあるので、回転子の外周にある固定された磁石の磁極は中央の回転子に対し同極とする、且つ固定磁石の磁極方向は特定するものだはない。
【０００９】  回転子内にある複数の回転する磁石体の回転軸にベルトプーリを装着し、各プーリにベルトで連結し回転する磁石体の回転を一律にする、固定された磁石の中心角の中点から回転子の回転方向にある次の固定された磁石の中心角の中点の間で、回転子内で回転する磁石体が一回転するようプーリ径を割り出し、ベルトをプーリに装着する。
【００１０】    磁石と磁石で回る連続回転装置の中央部のシャフトを固定しシャフト内の複数の回転する磁石体と対向する外周部を駆動部とした磁石と磁石で回る連続回転装置
【００１１】  本体に取り付ける機器の修理、点検、メンテナンス等を行う際には大変危険が伴う、連続的に回転する装置がゆえに駆動軸に制動装置を装着する、
【００１２】  連続に回転する装置の機関部には強力な磁石体が数々存在する、歯車の破損、ないし歯車の摩擦から出る金属の塵等、且つ破損材の磁石への吸着、ないし安定的な回転運動と、磁界領域と磁界の誘導の確保に、機関内の軸受け板、回転調整板等々の機器には非磁石材等を仕様とする。且つ機関部の歯車の摩擦抵抗、摩擦音、摩擦熱、軸受けの長期にわたる回転確保に円滑油を挿入する構造体にする。
【発明の効果】
【００１３】    以上説明したように本発明は磁石と磁石で回る連続回転装置であり半永久的磁気を備えている磁石を利用し吸引力、反発力のエネルギーを連続回転運動に変換した装置である。この装置の応用はリニヤモータの浮上、且つ移動装置にも利用可能である。
この装置を発電機に装着すれば、自立型発電機となる、発電される電気で温水、熱源、光源、自動車、電車、船舶、農業の暖房機器、魚業の照明、緊急災害時の照明、非常用発電装置等々、水中ポンプに装着すれば、水中、海中内でも利用でき多種多様であり、地球温暖化へのエコエネルギーとしての利用は、経済効果は大である。
【発明の実施するための最良の形態】
【００１４】    以下、本発明の実施の形態を図面に基づき詳細に説明する。
【００１５】    図１、外観正面断面図であり、ドラム１内の固定磁石４、５、６、７を装着し、回転子１４の中に回転する磁石体２６、２７、２８装着する、且つ回転子１４内に回転する磁石体２６から２７、２７から２８、２８から２６と磁界流の通る貫通孔、貫通穴１８が設けてある。回転する磁石体２６の磁石１７、Ｎ極は固定磁石４のＳ極吸引力、反発力を受けている、且つ回転する磁石体２６事跡１７のＮ極と回転する磁石体２７の磁石１７のＳ極と磁界流の通る貫通孔１８内での磁気の交流で、回転する磁石体２６の磁石１７、Ｎ極は回転軸を中心とし右回転方向に吸引力が加わる。
【００１６】    回転する磁石体２７の磁石１７、Ｓ極は固定磁石５のＳ極と強い反発状態にある。且つ回転する磁石体２７の磁石１７、Ｎ極は固定磁石５のＳ局と吸引力の離脱に入り、固定磁石６のＳ極と吸引力が働いている、且つ回転する磁石体２８の磁石１７、Ｓ極と回転する磁石体２７の磁石１７、Ｎ極と磁界流の通る貫通孔１８内での磁気の交流で、回転する磁石体２７の磁石１７、Ｎ極は回転軸を中心とし右回転方向に吸引力が加わる。
【００１７】    回転する磁石体２８の磁石１７、Ｎ極は固定磁石７のＳ極とは強い吸引力が働いている固定磁石６のＳ極と回転する磁石２８の磁石１７、Ｓ極とは反発状態にある。且つ回転する磁石体２６の磁石１７、Ｓ極と回転する磁石体２８の磁石１７、Ｎ極と磁界流の通る貫通孔１８内での磁気の交流で、回転する磁石体２８の磁石１７のＮ極は回転軸を中心とし右回転方向に吸引力が加わる。
【００１８】    前記回転する磁石体２６、２７、２８の磁石１７、Ｎ極と回転する磁石体２７、２８、２６の磁石１７、Ｓ極と磁界流の通る貫通孔１８内で磁気の交流でＮ極は回転軸を中心とし右回転方向に吸引力が加わるがＳ極も回転軸を中心とし右回転方向に吸引力がくわわる。
【００１９】    回転する磁石体２６、２７、２８の回転軸を回転子の軸受け板１２、１３で受け回転子１４に固定せしめる、且つ回転する磁石体２６、２７、２８の回転軸に歯車又はベルトプーリ１９、２０、２１を装着する。且つ回転する磁石体２６が固定磁石４の磁石の円周角の中点から固定磁石５の磁石の円周角の中点間で回転する磁石体２６は一回転するようプーリ径を割り出し装着する。回転子１５は固定磁石４〜５〜６〜７内で一回転しうるあいだに、回転子１５に備えられた回転する磁石体２６は４回、回転する。各回転する磁石体２６、２７、２８もベルトで連結され装着されている、所を各基点とするなら各回転する磁石体２６、２７、２８は回転子１５が一回転すると各基点に戻る間に、回転する磁石体２６、２７、２８の回転子は各４回ずつ回る。図８
【００２０】    図１で示す回転する磁石体２６の磁石１７の磁極Ｎ極、Ｓ極の境界を線上に置き０度するなら各回転する磁石体２７、２８の磁石１７磁極Ｎ極、Ｓ極の境界を線上に置き、１２０度ずつずらす。
【００２１】    駆動軸を備えた回転子１５に備えられている回転する磁石体の歯車１９、２０、２１に前記で示す角度の条件を満たし半固定の回転調整板２２の歯車２３をかみ合わせ連結する、回転する磁石体の歯車１９、２０、２１は半固定の回転調整板の歯車２３の回りを、回りながら駆動軸を備えた回転子１５が一回転する間に回転子１５内に備えられている回転する磁石体の各歯車１９、２０、２１は４回転ずつ回転するよう回転調整版の歯車２３と回転する磁石体の歯車１９、２０、２１の和を求め装着する。
【００２２】    前記示す回転調整された駆動軸を備えた回転子１５の回転方向及び回転トルクの調整をするため駆動軸１１を中心とした半固定の回転調整板２２のウォームギヤー２４の受け溝にウォームギヤ２５を左右にギヤーモーター３０等で回転させる事で駆動軸を備えた回転子１５の回転調整を行う
【図面の簡単な説明】
【００２３】
【図１】    正面の回転子及びドラム内固定磁石の配置断面図
【図２】    磁石回転子の外観斜視図
【図３】    回転調整板の取り付け時の正面図
【図４】    回転調整板の平面図
【図５】    ウォームギヤーの平面図
【図６】    回転調整板の正面図
【図７】    磁石と磁石で回る連続回転装置の平面断面図
【図８】    磁石回転子のベルト装着時の正面図
【符号の説明】
【００２４】１  ドラム      ２、３  駆動軸の軸受け板      ４、５、６、７  固定磁石体
８，９  磁石固定板  １０  オイルブッシュ      １１  駆動軸
１２，１３  磁石回転子軸受け板  １４、１５  回転子
１６  回転軸を備えたカプセル    １７  円柱径の磁石
１８  磁界流の通る貫通孔、貫通穴    １９、２０、２１歯車    ２２回転調整板
２３回転調整板の歯車    ２４ウォームギヤーの受け溝    ２５  ウォームギヤー
２６、２７，２８  回転磁石    ２９  ベアリング    ３０  ギヤーモーター
３１  回転検出器  ３２  制動装置  ３３  オイルキャプ    ３４オイル排出孔
３５  ボルト穴    ３６  ボルトナット    ３７  シンクロベルト
【図１】
2010088282.tif 000003
【図２】
2010088282.tif 000004
【図３】
2010088282.tif 000005
【図４】
2010088282.tif 000006
【図５】
2010088282.tif 000007
【図６】
2010088282.tif 000008
【図７】
2010088282.tif 000009
【図８】
2010088282.tif 000010